(57)【要約】【課題】透光性カバーをＬＥＤ取付部に密着させることができる光源ユニット及び照明器具を提供することを目的とする。【解決手段】ＬＥＤ基板１２１ｃと当接する基板当接部と、基板当接部の両側部から立ち上がりＬＥＤ１２１ａを覆うカバー部とを備える透光性カバー１２２と、透光性カバー１２２が取り付けられるＬＥＤ取付部１２３とを備え、ＬＥＤ取付部１２３は、基板当接部と当接するカバー取付部１２３１と、カバー取付部１２３１の両側部から短手方向に突き出した一対の突出片１２３３とを備え、透光性カバー１２２は一対の突出片１２３３を保持する一対の保持部を備える。【選択図】図４
2015176715.tif 000002
【特許請求の範囲】
【請求項１】
光源を実装する光源基板と当接する長尺の板部と、前記板部の長尺方向の両側の側部から立ち上がり、前記光源基板を覆うカバー部とを備える管状部材と、
前記管状部材が取り付けられる部材取付部と
を備え、
前記部材取付部は、
前記管状部材の外側で前記板部と当接し、前記板部の長尺方向に沿って延びる長尺の部材当接部と、
前記部材当接部の長尺方向の両側の側部から前記部材当接部の短手方向に突き出した一対の突出片と
を備え、
前記管状部材は、
前記板部の長尺方向の両側の側部に設けられ、前記一対の突出片を保持する一対の保持部を備えることを特徴とする光源ユニット。
【請求項２】
前記部材取付部は、前記部材当接部の長尺方向の中央部に前記一対の突出片を備えることを特徴とする請求項１に記載の光源ユニット。
【請求項３】
前記部材取付部は、さらに、
前記部材当接部の前記中央部と長尺方向の両側の端部との間に前記一対の突出片を備え、
前記一対の保持部は、
前記板部の長尺方向に沿った両側の側部の一端部から他端部にわたって形成されることを特徴とする請求項２に記載の光源ユニット。
【請求項４】
請求項１〜３のいずれかに記載の光源ユニットと、
前記光源ユニットを取り付ける器具本体と、
前記器具本体に取り付けられ、前記光源ユニットに実装された光源を点灯させる点灯装置とを備えることを特徴とする照明器具。
【発明の詳細な説明】
【技術分野】
【０００１】
本発明は、光源ユニット及び照明器具に関するものである。特に、透光性カバーにＬＥＤモジュールを収納する光源ユニットと、この光源ユニットを備える照明器具とに関する。
【背景技術】
【０００２】
ＬＥＤ取付部を介することにより、ＬＥＤモジュールが収納された透光性カバーを器具本体へ取り付ける照明器具に関する技術がある（例えば、特許文献１参照）。
また、ＬＥＤモジュールとヒートシンクとを透光性カバーの内側に形成されたスリットに嵌め込み、ＬＥＤモジュールとヒートシンクとを密着させる直管形ＬＥＤランプに関する技術がある（例えば、特許文献２参照）。
【先行技術文献】
【特許文献】
【０００３】
【特許文献１】特開２０１２−１８６０９５号公報
【特許文献２】特開２０１１−１１３８７６号公報
【発明の概要】
【発明が解決しようとする課題】
【０００４】
従来技術では、ＬＥＤの発熱や外部からの応力により、透光性カバーが撓み、透光性カバーとＬＥＤ取付部との密着性が劣るという課題があった。
また、透光性カバーの外周の一部が切断されていると、透光性カバーの弾性変形によって、ＬＥＤモジュールとヒートシンクとが透光性カバーから外れてしまうという課題があった。
【０００５】
本発明は、透光性カバーをＬＥＤ取付部に密着させることができる光源ユニット及び照明器具を提供することを目的とする。
【課題を解決するための手段】
【０００６】
本発明に係る光源ユニットは、光源を実装する光源基板と当接する長尺の板部と、前記板部の長尺方向の両側の側部から立ち上がり、前記光源基板を覆うカバー部とを備える管状部材と、前記管状部材が取り付けられる部材取付部とを備え、前記部材取付部は、前記管状部材の外側で前記板部と当接し、前記板部の長尺方向に沿って延びる長尺の部材当接部と、前記部材当接部の長尺方向の両側の側部から前記部材当接部の短手方向に突き出した一対の突出片とを備え、前記管状部材は、前記板部の長尺方向の両側の側部に設けられ、前記一対の突出片を保持する一対の保持部を備えることを特徴とする。
【発明の効果】
【０００７】
本発明に係る光源ユニットによれば、管状部材において、内部に収納された光源基板が当接する板部を、管状部材を取り付ける部材取付部に密着させることができるという効果を奏する。
【図面の簡単な説明】
【０００８】
【図１】実施の形態１に係る照明器具１００の斜視図である。
【図２】実施の形態１に係る照明器具１００において反射板１３０を外した分解斜視図である。
【図３】実施の形態１に係る照明器具１００において枠体１４０を外した分解斜視図である。
【図４】実施の形態１に係る光源ユニット１２０を示す分解斜視図の一例である。
【図５】実施の形態１に係る光源ユニット１２０の透光性カバー１２２を端部から見た模式図の一例である。
【図６】実施の形態１に係る光源ユニット１２０を示す部分破断断面図の一例である。
【発明を実施するための形態】
【０００９】
以下、本発明の実施の形態について、図を用いて説明する。なお、以下の実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る照明器具１００の斜視図である。図２は、本実施の形態に係る照明器具１００において反射板１３０を外した分解斜視図である。図３は、本実施の形態に係る照明器具１００において枠体１４０を外した分解斜視図である。
【００１１】
照明器具１００は、例えば、天井面、壁面等の被取付部に取り付けられる。本実施の形態では、天井面を被取付部として説明し、被取付部側を天井面側あるいは上方（上側）とし、被取付部側の反対側を照射方向側あるいは下方（下側）として説明する。なお、壁面などを被取付部とした場合でも本実施の形態は適用することができる。
【００１２】
図１〜図３に示すように、照明器具１００は、器具本体１１０と、この器具本体１１０に取り付けられる点灯装置２００、光源ユニット１２０、反射板１３０、枠体１４０とを有する。
【００１３】
器具本体１１０は、板金により形成されている。図３に示すように、器具本体１１０は、略正方形状をなす本体取付面部１１６と、この本体取付面部１１６の四辺から折り曲げられて形成される本体周部１１７からなる。なお、本体取付面部１１６は、正方形状でなくてもよい。本体取付面部１１６は、長方形、多角形、円形、楕円形等、その他の形状であっても構わない。
【００１４】
図３に示すように、本体取付面部１１６は、点灯装置２００が取り付けられる点灯装置取付部１１１と、天井などの被取付部に取り付けられる天井取付部１１３と、枠体１４０が取り付けられる枠体取付部１１５とを備える。
本体周部１１７は、本体取付面部１１６の周縁部がＬ字状に折り曲げられて形成され、器具本体１１０（本体取付面部１１６）の撓みに対する強度を増すための機能を有する。
【００１５】
点灯装置２００は、点灯装置取付部１１１に取り付けられる。点灯装置２００は、商用電源等から供給される電力が入力され、この電力から光源ユニット１２０に供給する光源ユニット用の二次電力を生成し、生成した二次電力を光源ユニット１２０へ電線などを介して供給する。
光源ユニット１２０の詳細な構造については後で説明する。
【００１６】
反射板１３０は、板金により形成される。図２に示すように、反射板１３０は、板金がＶ字形状に折り曲げられて形成されている。この反射板１３０は、器具本体１１０を被取付部に取り付けるときに固定する天井取付部１１３を隠すように器具本体１１０（本体取付面部１１６）に取り付けられる。
【００１７】
枠体１４０は、板金により形成される。図３に示すように、板金が折り曲げられて形成された４つの枠材が、それぞれの端部を突き合わせて取り付けられて「ロ」の字状に形成されている。この枠体５００は、本体周部１１７を覆うように、枠体取付部１１５に取り付けられる。
なお、枠体は「ロ」の字状でなくてもよい。器具本体１１０の形状に応じた形状であれば、他の形状でも構わない。
【００１８】
図４は、本実施の形態に係る光源ユニット１２０を示す分解斜視図の一例である。
図５は、本実施の形態に係る光源ユニット１２０の透光性カバー１２２を端部から見た模式図の一例である。
図６は、本実施の形態に係る光源ユニット１２０を示す部分破断断面図の一例である。
次に、図４〜図６を用いて、光源ユニット１２０の詳細構造について説明する。
【００１９】
図４に示すように、光源ユニット１２０は、２つのＬＥＤモジュール１２１と、この２つのＬＥＤモジュール１２１を直列に接続して収納する透光性カバー１２２とを備える。
透光性カバー１２２は、ＬＥＤモジュール１２１が発する光を拡散透過する。
また、光源ユニット１２０は、透光性カバー１２２が取り付けられるＬＥＤ取付部１２３と、透光性カバー１２２をＬＥＤ取付部１２３に取り付けるのを補助する端部カバー１２４とを備える。端部カバー１２４は、透光性カバー１２２とＬＥＤ取付部１２３とを器具本体１１０に固定する機能をも有する。
透光性カバー１２２は、内部にＬＥＤ基板１２１ｃを収納する管状部材である。
【００２０】
ＬＥＤモジュール１２１は、２４個のＬＥＤ１２１ａ（光源）と、２つのコネクタ１２１ｂと、ＬＥＤ１２１ａ及びコネクタ１２１ｂが実装される細長い長方形状のＬＥＤ基板１２１ｃ（光源基板）とを有する。
【００２１】
２４個のＬＥＤ１２１ａは、ＬＥＤ基板１２１ｃに実装され、それぞれのＬＥＤ１２１ａが直列接続される。
コネクタ１２１ｂは、ＬＥＤ基板１２１ｃの両端部（長手方向の先端部）に実装され、直列接続されたＬＥＤ１２１ａの端部（カソード端子、アノード端子にそれぞれ一つずつ）に接続される。
【００２２】
なお、ＬＥＤ１２１ａの数は２４個に限られず、４個、８個、１６個、２５個、３２個など、いくつでも構わない。また、２つのＬＥＤ基板１２１ｃが直列に接続されている構成でなくてもよい。１つのＬＥＤ１２１ｃ基板でもよいし、３つ以上のＬＥＤ基板１２１ｃでもよい。また、ＬＥＤ１２１ａの接続方法についても、直列でなくてもよく、並列でも、円形直列でも、その他の接続方法でもよい。
【００２３】
図５に示すように、透光性カバー１２２は、長手方向の端面形状が略半円（山型、ドーム状）のカマボコ形状をなし、長尺状かつ中空状である。この透光性カバー１２２の内側には、ＬＥＤモジュール１２１がスライドされて挿入されるときに、ＬＥＤモジュール１２１の短手方向の両端部を指示する支持片１２２ａを備える。
透光性カバー１２２は、ＬＥＤ基板１２１ｃと当接する長尺の基板当接部１２２ｃ（板部）と、基板当接部１２２ｃの長尺方向の両側の側部から立ち上がり、ＬＥＤ１２１ａを覆う長尺のカバー部１２２１とを備える管状部材である。
【００２４】
また、透光性カバー１２２は、ＬＥＤモジュール１２１がスライドされて、透光性カバー１２２の内部に挿入された場合に、ＬＥＤ基板１２１ｃの裏面（ＬＥＤ１２１ａが実装されている実装面の裏面）と密着する基板当接部１２２ｃを備える。
なお、図５の透光性カバー１２２の形状は、図４の透光性カバー１２２の形状よりも上下方向（図１参照）の高さが低い形状である。これは、図５では、説明をわかりやすくするために、上下方向の高さを高めに図示しているためである。なお、透光性カバー１２２の形状は、透光性カバー１２２が中空形状であり、かつ、基板当接部１２２ｃに相当する構成を備えていれば、断面形状はどのような形状でも構わない。断面形状は、略山型でなくでも、三角形状、四角形状、多角形状、ギザギザ形状、不定形状、その他の形状でも構わない。
【００２５】
透光性カバー１２２は、基板当接部１２２ｃの長手方向（長尺方向）の両側の側部に設けられ、後述するＬＥＤ取付部１２３の一対の突出片１２３３を保持する一対の保持部１２２ｂを備える。
図５に示すように、透光性カバー１２２は、透光性カバー１２２の短手方向の両端部かつ基板当接部１２２ｃ（底面側）から、Ｌ字形状に突出する保持部１２２ｂを備える。
保持部１２２ｂは、基板当接部１２２ｃから突出して、基板当接部１２２ｃの短手方向中心部の方向に端面Ｌ字状に折れ曲がって形成される。
【００２６】
保持部１２２ｂは、基板当接部１２２ｃから突き出す立設部１２２１ｂと、立設部１２２１ｂの先端から基板当接部１２２ｃの短手方向中心部の方向に折れ曲がる押さえ部１２２２ｂとを有する。折れ曲がった部分（押さえ部１２２２ｂ）と基板当接部１２２ｃとの間の隙間１２２ｄに、後述するＬＥＤ取付部１２３に設けられた突出片１２３３が挿入される。
保持部１２２ｂは、基板当接部１２２ｃの長手方向に沿った側部の一端部から他端部にわたって形成される。なお、後述するＬＥＤ取付部１２３の一対の突出片１２３３の位置に対応する位置にのみ、一対の保持部１２２ｂを設けても構わない。
【００２７】
ＬＥＤ取付部１２３（部材取付部）は、透光性カバー１２２を取り付ける。
ＬＥＤ取付部１２３は、透光性カバー１２２の底面である基板当接部１２２ｃが接触する長方形状のカバー取付部１２３１（部材当接部）と、このカバー取付部１２３１の短手方向の両端部から折り曲げられて形成された２つの（両側の）立上部１２３２とを備える。
また、この２つの立上部１２３２の端部から外側に折り曲げられて形成された本体取付部１２３４を備える。
【００２８】
カバー取付部１２３１は、基板当接部１２２ｃと当接する長尺状であれば、長方形でなくても構わない。
本体取付部１２３４は、長手方向の両端部近傍に、ネジによって器具本体１１０へ固定するためのネジ取付穴１２３５を有する。
【００２９】
カバー取付部１２３１の短手方向の両端部には、立上部１２３２から切り起されて形成された一対の突出片１２３３を有する。一対の突出片１２３３は、カバー取付部１２３１の長手方向の両側の側部から短手方向（図５参照）に突き出す。この一対の突出片１２３３は、カバー取付部１２３１（透光性カバー１２２）の長手方向の両端部の２箇所と中央部の１箇所との合計３箇所に形成される。
【００３０】
透光性カバー１２２の保持部１２２ｂの隙間１２２ｄに、突出片１２３３を挿入しながら透光性カバー１２２をスライドさせて、透光性カバー１２２をＬＥＤ取付部１２３に取付ける。保持部１２２ｂにより形成される隙間１２２ｄは、透光性カバー１２２がＬＥＤ取付部１２３に取り付けられた場合に、カバー取付部１２３１と基板当接部１２２ｃとが十分に密着するような幅を有するものとする。
【００３１】
図６は、ＬＥＤモジュール１２１が収納された状態の透光性カバー１２２が、ＬＥＤ取付部１２３に取り付けられ、さらに端部カバー１２４が取り付けられた状態の光源ユニット１２０の部分破断断面図の一例である。光源ユニット１２０は、器具本体１１０にネジにより取り付けられている。
【００３２】
透光性カバー１２２の支持片１２２ａは、図５に示すように、単に基板当接部１２２ｃの短手方向中心部の方向に突き出した板片でもよいし、図６に示すように下方に突き出して湾曲した形状でもよい。支持片１２２ａが図６に示す形状の場合、支持片１２２ａの弾性力により、支持片１２２ａの先端部でＬＥＤ基板１２１ｃを基板当接部１２２ｃに押し付けることができる。
【００３３】
また、透光性カバー１２２の保持部１２２ｂは、図５に示すように、立設部１２２１ｂと押さえ部１２２２ｂとを備える断面Ｌ字状でもよいし、図６に示すように上方に突き出して湾曲した形状でもよい。保持部１２２ｂが図６に示す形状の場合、保持部１２２ｂの弾性力により、保持部１２２ｂの先端部でＬＥＤ取付部１２３の突出片１２３３を基板当接部１２２ｃに押し付けることができる。
【００３４】
以上のように、支持片１２２ａ、保持部１２２ｂを図６に示す形状とすることにより、ＬＥＤモジュール１２１とＬＥＤ取付部１２３とを、より密着させることができる。
【００３５】
以上のように、透光性カバー１２２がＬＥＤ取付部１２３に取り付けられることによって、透光性カバー１２２の長手方向の両端部と中央部とを、保持部１２２ｂと突出片１２３３とにより支持することができ、透光性カバー１２２とカバー取付部１２３１との密着度を高めることができる。また、突出片１２３３をカバー取付部１２３１の長手方向の中央部に設けることによって、透光性カバー１２２に応力が加わったときも、透光性カバー１２２の中央部がカバー取付部１２３１から浮き上がることがなく、透光性カバー１２２の撓みを防止することができる。
【００３６】
なお、一対の突出片１２３３は、３箇所に限らず、２箇所でもよいし、４箇所以上でもよい。十分に長手方向に長い突出片１２３３であれば、１箇所でも構わない。
また、ＬＥＤ取付部１２３の長手方向の両端部と中央部との３箇所に加えて、中央部と両端部の各々との間の２箇所に１対の突出片１２３３を設けてもよい。これにより、中央部と端部との間において、透光性カバー１２２がカバー取付部１２３１から浮き上がることを防ぐことができる。
【００３７】
端部カバー１２４は、透光性カバー１２２をＬＥＤ取付部１２３に取り付けたときの端部を囲う凹部１２４ａと、この凹部１２４ａとは逆向きかつ一端側から突出するカバー突出部１２４ｂを有する。
【００３８】
透光性カバー１２２をＬＥＤ取付部１２３に取り付けた状態で、透光性カバー１２２とＬＥＤ取付部１２３との両端を凹部１２４ａに嵌め込む。この状態で、カバー突出部１２４ｂを器具本体１１０にネジにより固定する。
端部カバー１２４により、透光性カバー１２２がＬＥＤ取付部１２３の長手方向にスライドするのを防止しながら、透光性カバー１２２とＬＥＤ取付部１２３とを固定する。
【００３９】
このように、本実施の形態に係る光源ユニット１２０及び照明器具１００によれば、透光性カバー１２２に保持部１２２ｂを設け、この保持部１２２ｂに嵌まり込む突出片１２３３をＬＥＤ取付部１２３に設けることによって、透光性カバー１２２とＬＥＤ取付部１２３との密着度を高めることができる。この構造により、ＬＥＤ１２１ａが発する熱を透光性カバー１２２を介してＬＥＤ取付部１２３に伝熱しやすくすることができる。
【００４０】
また、本実施の形態に係る光源ユニット１２０及び照明器具１００によれば、突出片１２３３と保持部１２２ｂとによって、ＬＥＤモジュール１２１とカバー取付部１２３１とをともに、透光性カバー１２２の基板当接部１２２ｃに押し付けることができる。よって、ＬＥＤモジュール１２１と透光性カバー１２２の基板当接部１２２ｃとの密着性、基板当接部１２２ｃとカバー取付部１２３１との密着性を、ともに高めることができ、ＬＥＤ１２１ａが発する熱の放熱性はよりよくなる。
【００４１】
以上、本発明の実施の形態について説明したが、これらの実施の形態に含まれる発明の１つの部分を実施しても構わない。あるいは、これらの実施の形態に含まれる発明のうち、２つを部分的に組み合わせて実施しても構わない。なお、本発明は、これらの実施の形態に限定されるものではなく、必要に応じて種々の変更が可能である。
【符号の説明】
【００４２】
１００  照明器具、１１０  器具本体、１１１  点灯装置取付部、１１３  天井取付部、１１５  枠体取付部、１１６  本体取付面部、１１７  本体周部、１２０  光源ユニット、１２１  ＬＥＤモジュール、１２１ａ  ＬＥＤ、１２１ｂ  コネクタ、１２１ｃ  ＬＥＤ基板、１２２  透光性カバー、１２２ａ  支持片、１２２ｂ  保持部、１２２ｃ  基板当接部、１２２ｄ  隙間、１２３  ＬＥＤ取付部、１２４  端部カバー、１２４ａ  凹部、１２４ｂ  カバー突出部、１３０  反射板、１４０  枠体、１２３１  カバー取付部、１２２１ｂ  立設部、１２２２ｂ  押さえ部、１２３２  立上部、１２３３  突出片、１２３４  本体取付部、１２３５  ネジ取付穴。
【図１】
2015176715.tif 000003
【図２】
2015176715.tif 000004
【図３】
2015176715.tif 000005
【図４】
2015176715.tif 000006
【図５】
2015176715.tif 000007
【図６】
2015176715.tif 000008